(57)【要約】【課題】キーボードを利用して端末機能の起動を容易化する。【解決手段】携帯端末は、表示部に、コマンド（命令文）の入力を受け付けるコマンド入力領域６１を表示し、コマンド（命令文）を入力可能なキーボードからコマンド（命令文）の入力を受け付け、該入力されたコマンド（命令文）に応じた機能（メニュー画面６２の起動）を実行する。【選択図】図２
2010087570.tif 000002
【特許請求の範囲】
【請求項１】
コマンド（命令文）を入力可能なキーボードと、
コマンド（命令文）の入力を受け付けるコマンド入力領域を表示し、前記キーボードから入力されたコマンド（命令文）に応じた機能を実行する制御部と、を備えた携帯端末。
【請求項２】
前記コマンド入力領域が、待ち受け画面上に設けられた請求項１に記載の携帯端末。
【請求項３】
所定の文字又は記号が先頭に付けられているか否かにより、コマンド（命令文）の入力であるか否かを判別する請求項１又は２に記載の携帯端末。
【請求項４】
電話又は電子メールによる通信機能を備えており、所定の構文規則により、所定の通信コマンド（命令文）とともに宛先を入力することにより、当該宛先を通信相手とする電話発信又は電子メール作成が可能である請求項１乃至３いずれか一に記載の携帯端末。
【請求項５】
所定の構文規則により、前記コマンド（命令文）とともに認証情報を入力することにより、所定の機能の実行を許可する請求項１乃至３いずれか一に記載の携帯端末。
【請求項６】
前記各コマンド（命令文）に、前記コマンド（命令文）を短縮させた短縮コマンドが関連付けられており、前記短縮コマンドが入力された場合にも該当する機能を実行する請求項１乃至４いずれか一に記載の携帯端末。
【請求項７】
ユーザが設定した前記短縮コマンドと、前記コマンド（命令文）との対応関係を記憶するユーザ辞書を備え、
前記ユーザ辞書を参照して入力された短縮コマンドに応じた機能を実行する請求項６に記載の携帯端末。
【請求項８】
前記キーボードから入力された文字に応じて、後続して文字を入力することにより入力可能なコマンド（命令文）の候補を表示する請求項１乃至５いずれか一に記載の携帯端末。
【請求項９】
前記キーボードの配列に基づいて、コマンド（命令文）と該コマンド（命令文）の誤入力パターンとの組み合わせを保持し、
誤入力パターンが入力された場合には、該誤入力パターンに対応付けられたコマンド（命令文）の候補を表示する請求項１乃至５いずれか一に記載の携帯端末。
【請求項１０】
表示部に、コマンド（命令文）の入力を受け付けるコマンド入力領域を表示し、
コマンド（命令文）を入力可能なキーボードからコマンド（命令文）の入力を受け付け、
該入力されたコマンド（命令文）に応じた機能を実行する携帯端末の機能起動方法。
【発明の詳細な説明】
【技術分野】
【０００１】
本発明は、携帯端末及び機能起動方法に関し、特に、多数の文字入力キーが配置されたフルキーボードを備える携帯端末及び該携帯端末の機能起動方法に関する。
【背景技術】
【０００２】
特許文献１、２に、主に電話番号入力に使用されるテンキーとは別に、文字入力用のキーボードを備えた携帯端末が開示されている。
【０００３】
上記フルキーボードを備えるものではないが、特許文献３には、キーワードを入力する入力する入力手段、入力されたキーワードを含む機能名を検索する検索手段、および検索された機能名を表示する表示手段を備えた携帯電話機が開示されている。また、同文献の００１３−００１５段落には、１以上の機能名が表示された状態で決定キーが操作されるとカーソル位置の機能が起動される点が記載されている。
【０００４】
【特許文献１】特開２００７−１７９５２５号公報
【特許文献２】特表２００７−５１８１５５号公報
【特許文献３】特開２０００−２１６８７１号公報
【発明の開示】
【発明が解決しようとする課題】
【０００５】
特許文献１、２の携帯端末は、これら文献の図面に表れているように、フルキーボードの使用時に、縦長の画面が横に倒れた状態になり、リスト等の表示行数が極端に少なくなってしまい、キー操作と機能の関連がイメージしにくく操作が困難になってしまうという問題点がある。フルキーボードは文字入力の利便性があるものの通常は必ずしも必要ではなく、せっかく多くのキーを持つにも関わらず、有効に利用されていない。
【０００６】
また特許文献３の携帯電話機では、機能名の検索・表示が行われ、その後に決定キーの操作を行うという手順を踏むものであるため、ユーザが利用したい機能を直ちに呼び出すことはできない。
【０００７】
本発明は、上記した事情に鑑みてなされたものであって、その目的とするところは、上記したフルキーボード使用時の機能の起動を容易化する携帯端末及び機能起動方法を提供することにある。
【課題を解決するための手段】
【０００８】
本発明の第１の視点によれば、コマンド（命令文）を入力可能なキーボードと、コマンド（命令文）の入力を受け付けるコマンド入力領域を表示し、前記キーボードから入力されたコマンド（命令文）に応じた機能を実行する制御部と、を備えた携帯端末が提供される。
【０００９】
本発明の第２の視点によれば、表示部に、コマンド（命令文）の入力を受け付けるコマンド入力領域を表示し、コマンド（命令文）を入力可能なキーボードからコマンド（命令文）の入力を受け付け、該入力されたコマンド（命令文）に応じた機能を実行する携帯端末の機能起動方法が提供される。
【発明の効果】
【００１０】
本発明によれば、キーボードからコマンドを入力して直接、機能を呼び出すことが可能になる。その理由は、コマンド（命令文）の入力を受け付けるコマンド入力領域を表示し、入力されたコマンド（命令文）に応じた機能を実行するユーザインタフェースを備えたことにある。
【発明を実施するための最良の形態】
【００１１】
［発明の概要］
はじめに、本発明の携帯端末及び機能起動方法の概要について説明する。まず、本発明の携帯端末は、コマンド（命令文）を入力可能なキーボードを備え、待受画面等に、コマンド（命令文）の入力を受け付けるコマンド入力領域（図４の符号６１参照）を表示する。
【００１２】
本発明の携帯端末の制御部は、前記キーボードから入力されたコマンド（命令文）が入力されると（図４、図５の上段参照）、該コマンドに応じた機能を実行する（図４、図５の下段参照）。
【００１３】
例えば、携帯端末内の電話帳（アドレス帳）に登録された相手に電話発信する場合、一般的には、電話帳（アドレス帳）を起動し、発信先の相手を探し出し、発信キーを押す操作が必要となるが、本発明によれば、上記のようにコマンドを入力することにより、目的とする相手に即座に電話発信することが可能になる。
【００１４】
［第１の実施形態］
続いて、本発明の第１の実施形態について図面を参照して詳細に説明する。図１は、本発明の第１の実施形態の構成を表したブロック図である。図１を参照すると、キーボート部１１を含んだ操作部１０と、記憶部２０と、画面合成部３０と、表示部４０と、ＣＰＵ（Ｃｅｎｔｒａｌ  Ｐｒｏｃｅｓｓｉｎｇ  Ｕｎｉｔ）５０と、を備えた携帯通信端末の構成が示されている。なお、本実施形態の携帯通信端末は電話通信機能、電子メール送受信機能を備えているが、これら機能に対応する機能ブロックは省略している。また、本発明は、インターネット接続機能やテレビ受信機能を備えた携帯通信端末にも適用することができる。
【００１５】
操作部１０は、一般の携帯電話に備えられているポインティングデバイス、発信やオンフックなどに用いるボタン等に加えて、１ストロークで１文字を入力することができる所謂ＱＷＥＲＴＹ配列でキーが配列されたキーボード部１１が備えられている。なお、携帯通信端末本体へのキーボード部１１の実装形態については、特許文献１、２に記載された構成等を用いることができる。
【００１６】
記憶部２０は、電話通信、電子メール、インターネット接続等に用いる電話帳（アドレス帳）やブックマーク情報のほか、機能毎に表示される画面データを記憶する。画面データには、各機能の利用時の機能画面２２〜２Ｘのほか、コマンド入力領域を表示しコマンドの入力を受け付けるコマンド入力画面２１が含まれる。
【００１７】
画面合成部３０は、記憶部２０に記憶されたコマンド入力画面２１、機能画面２２〜２Ｘのデータを必要に応じて複数合成し、表示部４０にて表示する画像を生成する。
【００１８】
表示部４０は、画面合成部３０で生成した画像を表示する。
【００１９】
ＣＰＵ５０は、操作部１０から入力されたキー情報に従い機能実行するとともに記憶部２０から該当する画面データを選択し画面合成部３０で画像を生成し表示部４０で表示する。ＣＰＵ５０は、コマンド入力画面２１を含んだ待受画面を表示し、コマンドが入力された場合には当該コマンドを、所定の構文規則に従って解釈し、対応する機能を起動する。
【００２０】
続いて、本実施形態の動作について図面を参照して詳細に説明する。図２は、本実施形態に係る携帯通信端末において、コマンド入力画面２１が合成された待受画面からメニュー画面を開く場合のユーザの操作内容と、これに伴う画面の遷移を表した図である。
【００２１】
ここでは、メニュー画面を開くコマンド「ＭＥＮＵ」を入力するものとして説明する。まず、ユーザが、操作部１０のキーボード部１１に配されたキー「Ｍ」を押下する。ＣＰＵ５０は、コマンド入力画面２１を合成した待受画面６０のコマンド入力領域６１にキー入力された「Ｍ」を表示する。
【００２２】
以下同様に、「Ｅ」、「Ｎ」、「Ｕ」が入力され、その内容が待受画面６０のコマンド入力領域６１に表示されていく。「ＭＥＮＵ」の入力が完了した段階でユーザがキーボード部１１に配された「Ｅｎｔｅｒ」キーを押下すると、ＣＰＵ５０はコマンド「ＭＥＮＵ」が入力され、メニューの起動が指示されたものと判断し、画面合成部３０を介して、記憶部２０からメニュー画面６２を読み出し、表示部４０に表示する（図２の右下メニュー画面参照）。
【００２３】
このように、コマンド入力により機能を起動できる本発明の携帯通信端末は、従来のように、階層を辿りながら機能を呼び出す手順を踏む必要が無い。例えば、画面の設定を変更したい場合、従来の携帯通信端末では、メニュー画面から、項目「各種設定」を選択し、各種設定画面から、項目「ディスプレイ」という手順を踏む必要がある。一方、本発明が適用された携帯通信端末によれば、ディスプレイの設定変更機能を起動するコマンドとして定義された「ＤＩＳＰＬＡＹ」コマンドを入力することにより該当する設定画面を開くことが可能である。
【００２４】
［第２の実施形態］
続いて、本発明の第２の実施形態について図面を参照して詳細に説明する。本実施形態の携帯通信端末は、所定の文字が先頭に付けられている場合、あるいは、付けられていない場合に後続する文字列をコマンドの入力として取り扱う機能を備えた点で第１の実施形態と異なっている。前記所定の文字としては、「＃」、「！」等の記号を用いることもできる。
【００２５】
図３は、待受画面６０中のコマンド入力領域６１に「＃」の後に「ＭＥＮＵ」と入力した例を表している。例えば、「＃」の後に後続する文字列をコマンドとして取扱う場合、上記「＃ＭＥＮＵ」の入力によりメニュー画面が表示される。
【００２６】
また例えば、所定の文字が先頭に付けられている場合であっても「＃＃」、「！！」のように、連続して２回入力されている場合には、コマンドの入力として取り扱わないようにしてもよい。
【００２７】
このようにすれば、任意の文字入力領域を、上述したコマンド入力領域として用いることが可能になる。
【００２８】
［第３の実施形態］
続いて、本発明の第３の実施形態について図面を参照して詳細に説明する。本実施形態の携帯通信端末は、通信コマンドに後続して宛先を入力することにより、当該宛先を通信相手とする電話発信又は電子メール作成を可能とした点で第１の実施形態と異なっている。
【００２９】
宛先としては、電話番号やメールアドレスを入力するものとしてもよいが、携帯通信端末内の電話帳（アドレス帳）に登録されている名称、ニックネーム、ハンドル名等による宛先指定をできるようにしてもよい。
【００３０】
図４は、待受画面６０中のコマンド入力領域６１に電話発信コマンド「ＣＡＬＬ」の後に、電話帳（アドレス帳）に登録された名称「ＧＯＮＢＥ」を入力した場合の動作を表している。この場合、携帯通信端末のＣＰＵ５０は、記憶部２０の電話帳（アドレス帳）を参照して、「ＧＯＮＢＥ」名義、又は、「ＧＯＮＢＥ」を含む名称で登録された電話番号に対して電話発信する動作を行ない、電話発信中画面６３を表示する（図４下図参照）。
【００３１】
図５は、待受画面６０中のコマンド入力領域６１に電子メール作成コマンド「ＭＡＩＬ」の後に、電話帳（アドレス帳）に登録された名称「ＧＯＮＢＥ」を入力した場合の動作を表している。この場合、携帯通信端末のＣＰＵ５０は、記憶部２０の電話帳（アドレス帳）を参照して、「ＧＯＮＢＥ」名義、又は、「ＧＯＮＢＥ」を含む名称で登録されたメールアドレスを宛先とするメール作成画面６４を表示する動作を行う（図５下図参照）。
【００３２】
なお、上記図４、図５の例では、「ＣＡＬＬ」や「ＭＡＩＬ」といった通信コマンドの後にスペースを入れて宛先を入力するものとして説明したが、このような構文規則以外にも「ＣＡＬＬ：ＧＯＮＢＥ」、「ＣＡＬＬ２ＧＯＮＢＥ」等の各種の構文規則を採用することもできる。
【００３３】
また、図４、図５のように、「ＧＯＮＢＥ  ＮＡＮＡＳＨＩＮＯ」という宛先が電話帳（アドレス帳）に登録されている場合、「ＧＯＮＢＥ」もしくは「ＮＡＮＡＳＨＩＮＯ」といった名称がコマンド入力された場合に、登録されているデータを表示するようにしてもよい。
【００３４】
［第４の実施形態］
続いて、本発明の第４の実施形態について図面を参照して詳細に説明する。本実施形態の携帯通信端末は、コマンドに後続してパスワードが入力されている場合に、当該コマンドを受け付けるようにした点で第１の実施形態と異なっている。
【００３５】
図６は、待受画面６０中のコマンド入力領域６１に、電話帳（アドレス帳）のデータ削除コマンド「ＤＥＬ」の後に、削除したいデータ「ＧＯＮＢＥ」と、パスワードＰＷを入力した状態を表している。「ＧＯＮＢＥ」は、上記第３の実施形態と同様であり、携帯通信端末内の電話帳（アドレス帳）に登録されている名称、ニックネーム、ハンドル名等を指定する文字列である。また図６では、パスワードをそのまま表示しているが、アスタリスク「＊」等によって適宜マスクをしてもよい。
【００３６】
従来の情報通信端末では、複数の文字が割り当てられたテンキーを１〜数回押下して、文字パスワードを入力する。しばしば、入力済みの文字は「＊」等でマスクして表示されるため、どの文字をどこまで入力したのかを判別しがたいという問題点があった。本実施形態の携帯通信端末では、キーボード部１１を備えているため、１回のキー押下により１文字入力することが可能となり、アルファベットや記号を使用した複雑なパスワードの入力が容易化される。
【００３７】
このように、本実施形態の携帯通信端末は、キーボード部１１を備えているため、アルファベットや記号を含む複雑なパスワードを簡単に入力でき、その上で、本人認証が必要な機能を起動できるという利点がある。もちろん、従来より多用されている４桁の数字パスワードを用いることも可能である。
【００３８】
［第５の実施形態］
続いて、本発明の第５の実施形態について図面を参照して詳細に説明する。本実施形態の携帯通信端末は、コマンドの短縮コマンドを登録可能とした点で第１の実施形態と異なっている。
【００３９】
図７は、携帯通信端末が受け付け可能なコマンドとユーザが定義した短縮コマンドとを対応付けて記憶するユーザ辞書を表している。例えば、図７のように電話発信コマンド「ＣＡＬＬ」に対して省略形「Ｃ」が登録されている場合において、コマンド入力欄に「Ｃ  ＧＯＮＢＥ」と入力された場合、ＣＰＵ５０は、記憶部２０に記憶された前記ユーザ辞書を参照して、「ＣＡＬＬ  ＧＯＮＢＥ」とコマンド入力された場合と同様の動作を行う。同様に、コマンド入力欄に「ＴＶ」と入力された場合、ＣＰＵ５０は、記憶部２０に記憶された前記ユーザ辞書を参照して、ワンセグＴＶ機能起動コマンド「１ＳＥＧ」が入力された場合と同様の動作を行う。
【００４０】
なお、上記した例では、ユーザがユーザ辞書にコマンドの短縮形を設定するものとして説明したが、予め各コマンドに対する短縮形を定義しておき、ユーザが短縮コマンドの設定を行わなくとも、ＣＰＵ５０が主要なコマンドの短縮形を解釈できるようにしてもよい。
【００４１】
本実施形態によれば、コマンドの入力が容易化され、より少ないキー操作回数で目的とする機能を呼び出すことが可能になる。
【００４２】
［第６の実施形態］
続いて、本発明の第６の実施形態について図面を参照して詳細に説明する。本実施形態の携帯通信端末は、コマンドの入力を容易化するために、入力された文字に基づいてコマンド候補を表示する機能を備えた点で第１の実施形態と異なっている。
【００４３】
図８は、コマンド入力欄に「Ｃ」という文字が入力された場合に表示されるコマンド候補を表した図である。図８を参照するコマンド入力欄に入力された「Ｃ」に基づき、コマンド候補として「ＣＡＭＥＲＡ」、「ＣＡＬＬ」、「ＣＡＬＬ  ＤＩＶＥＲＴ」、「ＣＡＬＬ  ＧＯＮＢＥ」が表示された状態を表している。なお、これらコマンド候補の表示順序としては、アルファベット順や使用履歴の新しい順、使用頻度の多い順等を適宜採用することができる。
【００４４】
本実施形態によれば、コマンドの入力が容易化され、より少ないキー操作回数で目的とする機能を呼び出すことが可能になる。
【００４５】
［第７の実施形態］
続いて、本発明の第７の実施形態について図面を参照して詳細に説明する。本実施形態の携帯通信端末は、主としてキーボード部１１が小さいことに起因する入力ミスを補正する機能を備えた点で第１の実施形態と異なっている。
【００４６】
例えば「ＣＡＭＥＲＡ」と入力するところ、「Ｃ」の代わりに隣接する「Ｖ」をタイプし、且つ、「Ｖ」から始まるコマンドが無いとした場合、入力ミスであることは明らかである。このような場合ＣＰＵ５０は、「Ｖ」と隣接する「Ｂ」、「Ｇ」、「Ｆ」、「Ｃ」を候補としてユーザに通知する。またその際に、アラーム音等を合わせて出力するようにしてもよい。
【００４７】
あるいは、図９に示すように、各種コマンドについて、ＱＷＥＲＴＹ配列における各種コマンドの誤入力候補を対応付けたテーブルを保持しておき、ＣＰＵ５０が参照できるようにしておくことも望ましい。例えば、「ＣＡＬＬ」と入力したつもりであるところ、「Ｃ」と「Ｆ」とを誤り「ＦＡＬＬ」となってしまった場合、図９のテーブルに基づき、正しいコマンド「ＣＡＬＬ」をユーザに知らせることが可能になる。
【００４８】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した各実施形態では、電話機能や電子メール送受信機能を備えた携帯通信端末に本発明を適用した例を挙げて説明したが、本発明は、ポインティングデバイス及び決定キーの組み合わせによって構成される主たる操作系に加えて、追加的にキーボード部を備えた携帯端末全般に適用することが可能である。
【図面の簡単な説明】
【００４９】
【図１】本発明の第１の実施形態の構成を表したブロック図である。
【図２】本発明の第１の実施形態の携帯通信端末において、メニュー画面を開くためのユーザの操作内容と、その際の画面の遷移を表した図である。
【図３】本発明の第２の実施形態を説明するための図である。
【図４】本発明の第３の実施形態を説明するための図である。
【図５】本発明の第３の実施形態を説明するための図である。
【図６】本発明の第４の実施形態を説明するための図である。
【図７】本発明の第５の実施形態で用いるユーザ辞書を説明するための図である。
【図８】本発明の第６の実施形態を説明するための図である。
【図９】本発明の第７の実施形態を説明するための図である。
【符号の説明】
【００５０】
１０  操作部
１１  キーボート部
２０  記憶部
２１  コマンド入力画面
２２〜２Ｘ  機能画面
３０  画面合成部
４０  表示部
５０  ＣＰＵ（Ｃｅｎｔｒａｌ  Ｐｒｏｃｅｓｓｉｎｇ  Ｕｎｉｔ）
６０  待受画面
６１  コマンド入力領域
６２  メニュー画面
６３  電話発信中画面
６４  メール作成画面
【図１】
2010087570.tif 000003
【図２】
2010087570.tif 000004
【図３】
2010087570.tif 000005
【図４】
2010087570.tif 000006
【図５】
2010087570.tif 000007
【図６】
2010087570.tif 000008
【図７】
2010087570.tif 000009
【図８】
2010087570.tif 000010
【図９】
2010087570.tif 000011